(57)【特許請求の範囲】
【請求項１】
表示窓を有するケースと、
このケース内に収納された液晶表示部、及びタッチパネルとを備え、
前記液晶表示部は、実際に画像情報を表示する表示エリアであるアクティブエリアを有し、
前記タッチパネルは、押圧されるのに基づいて反応し、その押圧された位置を検出する反応エリアを有し、
前記液晶表示部の前記アクティブエリアは、前記ケースの表示窓の周縁部から所定寸法内側に配置され、
前記タッチパネルの前記反応エリアは、該反応エリアを押圧操作するための押圧具の直径寸法よりも所定寸法大きく前記ケースの表示窓の周縁部から内側に配置されたことを特徴とする入力装置。
【請求項２】
前記液晶表示部は、画像情報を表示することが可能な画面表示エリアであるビューエリアを有し、
前記液晶表示部の前記ビューエリアの内側に、前記液晶表示部の前記アクティブエリアが位置し、前記液晶表示部の前記アクティブエリアの内側に前記タッチパネルの前記反応エリアが位置することを特徴とする請求項１記載の入力装置。
【請求項３】
前記タッチパネルの反応エリアは、前記液晶表示部の前記アクティブエリアから０．８ｍｍ内側に配置されることを特徴とする請求項１または２記載の入力装置。
【請求項４】
情報を入力する入力手段と、
カード情報を読み取るカードリーダと、
前記入力手段の情報入力及び前記カードリーラの読取情報に基づいて媒体に情報を印刷するプリンタとを具備し、
前記入力手段は、表示窓を有するケースと、このケース内に収納された液晶表示部、及びタッチパネルとを備え、
前記液晶表示部は、実際に画像情報を表示する表示エリアであるアクティブエリアを有し、
前記タッチパネルは、押圧されるのに基づいて反応し、その押圧された位置を検出する反応エリアを有し、
前記液晶表示部の前記アクティブエリアは、前記ケースの表示窓の周縁部から所定寸法内側に配置され、
前記タッチパネルの前記反応エリアは、該反応エリアを押圧操作するための押圧具の直径寸法よりも所定寸法大きく前記ケースの表示窓の周縁部から内側に配置されたことを特徴とするカード処理装置。
【請求項５】
前記液晶表示部は、画像情報を表示することが可能な画面表示エリアであるビューエリアを有し、
前記液晶表示部の前記ビューエリアの内側に、前記液晶表示部の前記アクティブエリアが位置し、前記液晶表示部の前記アクティブエリアの内側に前記タッチパネルの前記反応エリアが位置することを特徴とする請求項４記載のカード処理装置。
【請求項６】
前記タッチパネルの前記反応エリアは、前記液晶表示部のアクティブエリアから０．８ｍｍ内側に配置されることを特徴とする請求項４または５記載のカード処理装置。
【発明の詳細な説明】
【技術分野】
【０００１】
この発明の実施の形態は、タッチパネル式の入力装置、及びこの入力装置を備えるカード処理装置に関する。
【背景技術】
【０００２】
商品販売処理装置、例えば、ＰＯＳターミナルやレジスタなどに付属される端末として、カード決済用の端末がある。この端末は、タッチパネルにより覆われる液晶表示部、及びカードリーダ、さらにクレジット伝票を発行するプリンタなどを有している。
【０００３】
タッチパネルは押圧されるのに基づいて反応し、その押圧された位置を検出する反応エリアを有し、店員が、タッチパネルを押圧操作して販売代金を入力するとともに、顧客から提示されたＩＣカード、デビットカード、クレジットカードのいずれかを端末のカードリーダに挿入することにより、決済が完了されるようになっている。
【０００４】
上記したタッチパネルは液晶表示部とともに表示窓を有するケース内に収納され、タッチパネルはケースの表示窓から露出されている。
【先行技術文献】
【特許文献】
【０００５】
【特許文献１】特開２００６―１２６８５３号公報
【発明の概要】
【発明が解決しようとする課題】
【０００６】
ところで、上記したケースの天井面とタッチパネルの表面部との間には、部品組立上、隙間が形成されている。そして、この隙間にゴミなどの異物が進入すると、この異物がタッチパネルを押圧してしまい、誤動作の原因となることがあった。
【課題を解決するための手段】
【０００７】
上記課題を解決するため、実施の形態は、表示窓を有するケースと、このケース内に収納された液晶表示部、及びタッチパネルとを備え、前記液晶表示部は、実際に画像情報を表示する表示エリアであるアクティブエリアを有し、前記タッチパネルは、押圧されるのに基づいて反応し、その押圧された位置を検出する反応エリアを有し、前記液晶表示部の前記アクティブエリアは、前記ケースの表示窓の周縁部から所定寸法内側に配置され、前記タッチパネルの前記反応エリアは、該反応エリアを押圧操作するための押圧具の直径寸法よりも所定寸法大きく前記ケースの表示窓の周縁部から内側に配置されたことを特徴とする。
【図面の簡単な説明】
【０００８】
【図１】実施形態であるカード決済端末を示す斜視図。
【図２】図１のカード決済端末のタッチパネル式の入力装置を示す断面図。
【発明を実施するための形態】
【０００９】
以下、実施の形態について図面を参照して説明する。  
図１は、カード処理装置としてのカード決済端末を示す斜視図である。
【００１０】
カード決済端末は装置本体１を有し、この装置本体１は店舗のレジカウンタ等にＰＯＳターミナル（図示しない）やレジスタ（図示しない）とともに設置される。装置本体１の一側面の下部側には電源スイッチ２が設けられ、上面部には入力手段としての入力装置３が開閉自在に設けられている。入力装置３には、タッチパネル式の表示部４、及びリセットボタン７が配設されている。
【００１１】
また、装置本体１には、入力装置３の一側部側に沿ってカードリーダ５が設けられているとともに、入力装置３の下方部に位置してプリンタ８が設けられている。
【００１２】
上記カードリーダ５は、顧客から提示される決済用のカードたとえばＩＣカード、デビットカード、クレジットカード等が挿入およびスライド操作されることにより、そのカードに記録されているデータを読取るものである。
【００１３】
プリンタ８は、タッチパネル式表示部４へのタッチ操作およびカードリーダ５の読取情報に基づいて決済された決済情報をプリントしてクレジット伝票を発行するものである。
【００１４】
リセットボタン７は、例えば、顧客が使用するカードの変更を申し出た場合などに押圧操作されるものである。この押圧操作により、タッチパネル式の表示部４により入力された入力情報およびカードリーダ５で読み取られた読取情報がそれぞれリセットされる。
【００１５】
店舗の係員は、顧客が購入しようとする商品がレジカウンタに持込まれると、顧客から提示されるＩＣカード、デビットカード、クレジットカードのいずれかをカードリーダ５に挿入してスライド操作してカード情報を読み取る。ついで、タッチパネル式の表示部４で表示されているテンキー画面をタッチ操作して販売金額、支払方法等を入力し、この入力後、送信ボタンを押圧操作して送信する。
【００１６】
この送信により、ＰＯＳターミナル側で商品販売の決済が行なわれ、承認されると、その決済の内容をプリントしたクレジット伝票がプリンタ８の排紙口８ａから排出されるようになっている。
【００１７】
ところで、上記した入力装置３は表示窓１０ａを有するケース１０を備え、このケース１０内に図２に示すようにタッチパネル式の表示部４が収納されている。タッチパネル式の表示部４は、ＬＣＤ（液晶表示部）１１と、このＬＣＤ１１の上面部を覆う抵抗膜方式のタッチパネル１２とによって構成され、表示窓１０ａに対向されている。タッチパネル１２は、ベースとなるガラス体１４と、このガラス体１４にスペーサを介して貼り付けられるフィルム（例えば、ＰＥＴシート）１５とによって構成されている。ガラス体１４とフィルム１５との対向面にはそれぞれ透明な電極格子が配設されている。
【００１８】
フィルム１５にタッチしていない状態では、ガラス体１４の電極とフィルム１５の電極とが接触しないため、電流が流れず、フィルム１５にタッチすると、圧力によりフィルム１５がたわみ、互いの電極が接触して電流が流れる。そして、ガラス体１４とフィルム１５のそれぞれの透明電極の抵抗による分圧比を測定することで押された位置を検出するようになっている。
【００１９】
また、ケース１０の天井面とタッチパネル１２の上面部との間にはクッション１６が介在され、高さ０．５ｍｍの隙間１８が形成されている。
【００２０】
上記したＬＣＤ１１はビューエリア１１ａ、及びアクティブエリア１１ｂを有し、上記したタッチパネル１２は、反応エリア１２ａを有している。
【００２１】
上記ＬＣＤ１１のビューエリア１１ａは、画像情報を表示することが可能な画面表示エリアで、ＬＣＤ１１のアクティブエリア１１ｂは、実際に画像情報を表示する表示エリアである。また、上記タッチパネル１２の反応エリア１２ａは、フィルム１５が押圧されるのに基づいて反応し、その押圧された位置を検出するエリアである。
【００２２】
上記ＬＣＤ１１のビューエリア１１ａの内側に、上記ＬＣＤ１１のアクティブエリア１１ｂが配置され、このＬＣＤ１１のアクティブエリア１１ｂの内側に上記タッチパネル１２の反応エリア１２ａが配置されている。
【００２３】
そして、上記ＬＣＤ１１のアクティブエリア１１ｂ、及び上記タッチパネル１２は、上記表示窓１０ａの周縁部から所定寸法内側に配置されている。
【００２４】
即ち、ＬＣＤ１１のアクティブエリア１１ｂは、表示窓１０ａの周縁部から０．５ｍｍ内側に配置され、タッチパネル１２の反応エリア１２ａは、ＬＣＤ１１のアクティブエリア１１ｂよりもさらに０．８ｍｍ内側（表示窓１０ａの周緑部から１．３ｍｍ内側）に配置されている。
【００２５】
従って、ＬＣＤの表示窓１０ａの周縁部から１．３ｍｍ内側に位置するタッチパネル１２の領域、及び隙間１８に位置するタッチパネル１２の領域が押圧されても、タッチパネル１２の反応エリア１２ａは反応しないようになっている。
【００２６】
この実施の形態によれば、タッチパネル１２の反応エリア１２ａ、及びＬＣＤ１１のアクティブエリア１１ｂをケース１０の表示窓１０ａの周縁部から所定寸法内側に配置するため、ケース１０の天井面とタッチパネル１２の表面部との間の隙間１８に異物が進入しても、タッチパネル１２の反応エリア１２ａが誤って反応することがなく、誤入力を確実に防止することができる。
【００２７】
また、ＬＣＤ１１のアクティブエリア１１ｂをケース１０の表示窓１０ａの周縁部から０．５ｍｍ内側に配置し、タッチパネル１２の反応エリア１２ａを、ＬＣＤ１１のアクティブエリア１１ｂから０．８ｍｍ（ケース１０の表示窓１０ａの周縁部からは１．３ｍｍ）内側に配置するため、ＬＣＤ１１の画面を最大限活用できる。
【００２８】
また、推薦されるタッチペンの直径が０．８ｍｍであるため、タッチペンによる誤入力も確実に防止することができる。
【００２９】
なお、上記した実施の形態では、カード処理装置を例に挙げて説明したが、これに限られることなく、携帯電話や、携帯用ゲーム機などのタッチパネルを有する装置にも適用することができる。
【００３０】
また、上記した実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３１】
３…入力装置（入力手段）、５…カードリーダ、８…プリンタ、１０…ケース、１０ａ…表示窓、１１…ＬＣＤ（液晶表示部）、１１ａ…ビューエリア、１１ｂ…アクティブエリア、１２…タッチパネル、１２ａ…反応エリア。
【図１】
0005238773.tif 000002
【図２】
0005238773.tif 000003